【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
複数の空間（１１，１２）に区画された荷室、を有する車両（１０）に搭載される輸送用冷凍装置（１００）であって、
それぞれの前記空間に配置され、冷媒と前記空間内の空気との熱交換を行う複数の室内用熱交換器（１２１，１２２）と、
冷媒と外気との熱交換を行う室外用熱交換器（１２０）と、
前記室外用熱交換器と前記室内用熱交換器との間で冷媒を循環させるよう、冷媒を送り出す複数の圧縮機（１１１，１１２）と、
前記圧縮機から送り出された冷媒が循環する経路を切り換える複数の切り換え弁（１０１，１０２）と、を備え、
それぞれの前記圧縮機が直列に繋がる経路を冷媒が循環する状態であって、全ての前記室内用熱交換器が蒸発器として機能する状態である第１状態と、
それぞれの前記圧縮機が直列に繋がる経路を冷媒が循環する状態であって、全ての前記室内用熱交換器が凝縮器として機能する状態である第２状態と、
それぞれの前記圧縮機が並列に繋がる経路を冷媒が循環する状態であって、複数の前記室内用熱交換器のうちの一部が蒸発器として機能し、複数の前記室内用熱交換器のうちの他部が凝縮器として機能する状態である第３状態と、
それぞれの前記圧縮機が並列に繋がる経路を冷媒が循環する状態であって、全ての前記室内用熱交換器が凝縮器として機能する状態である第４状態と、
をとり得るように構成されており、
前記第１状態において、前記室外用熱交換器を通過した冷媒が前記室内用熱交換器に向かう流路の途中となる位置には、通過する冷媒の流路を絞る室外用絞り機構（１４０）が設けられており、
前記室外用絞り機構をバイパスする流路である室外用バイパス流路（１５０）と、
前記室外用バイパス流路の開閉を切り換える室外用開閉弁（１６０）と、を更に備え、
前記第１状態において、前記室外用熱交換器を通過した冷媒が前記室内用熱交換器に向かう流路の途中であって、前記室外用絞り機構よりも下流側となる位置には、通過する冷媒の流路を絞る室内用絞り機構（１４１，１４２）が設けられており、
前記室内用絞り機構をバイパスする流路である室内用バイパス流路（１５１，１５２）と、
前記室内用バイパス流路の開閉を切り換える室内用開閉弁（１６１，１６２）と、を更に備え、
前記室内用絞り機構、前記室内用バイパス流路、及び前記室内用開閉弁は、いずれも、それぞれの前記室内用熱交換器に対応して個別に設けられており、
複数の前記圧縮機には第１圧縮機（１１１）と第２圧縮機（１１２）とが含まれており、
複数の前記室内用熱交換器には第１室内用熱交換器（１２１）と第２室内用熱交換器（１２２）とが含まれており、
前記第３状態においては、
前記第１圧縮機から送り出された冷媒が、前記室外用熱交換器、前記室外用バイパス流路、前記第１室内用熱交換器に対応して設けられた前記室内用絞り機構（１４１）、及び前記第１室内用熱交換器をこの順に通り、
前記第２圧縮機から送り出された冷媒が、前記第２室内用熱交換器、前記第２室内用熱交換器に対応して設けられた前記室内用バイパス流路（１５２）、前記第１室内用熱交換器に対応して設けられた前記室内用絞り機構、及び前記第１室内用熱交換器をこの順に通る輸送用冷凍装置。
【請求項２】
前記第３状態において、前記第２圧縮機から送り出された冷媒が前記第２室内用熱交換器に向かう流路の途中となる位置には、
前記第２状態において、前記第１圧縮機から送り出された冷媒が前記第２圧縮機に向かって流れることを防止するための開閉弁（１０３）が設けられている、請求項１に記載の輸送用冷凍装置。
【請求項３】
前記第２状態において、前記第１圧縮機及び前記第２圧縮機から送り出された冷媒が前記第２室内用熱交換器に向かう流路の途中となる位置には、開閉弁（１７２）が設けられており、
前記第３状態においては、
前記開閉弁は閉じられた状態となり、
前記第２圧縮機から送り出された冷媒は、前記開閉弁と前記第２室内用熱交換器とを繋ぐ流路の途中となる位置（Ｊ３）に供給される、請求項１に記載の輸送用冷凍装置。
【請求項４】
前記室外用絞り機構と前記室内用絞り機構とを繋ぐ流路の途中となる位置には、循環する冷媒の一部を液相の状態で貯留する液容器（１８０）が設けられており、
前記液容器は、
貯留している冷媒を前記室外用絞り機構に向けて排出する場合、及び、貯留している冷媒を前記室内用絞り機構に向けて排出する場合、のいずれにおいても、液相の冷媒のみを排出するように構成されている、請求項１に記載の輸送用冷凍装置。
【請求項５】
前記第１状態、前記第２状態、前記第３状態、及び前記第４状態の間を切り換える制御を行う制御装置、を更に備える、請求項１乃至４のいずれか１項に記載の輸送用冷凍装置。
【請求項６】
複数の前記空間には第１空間（１１）と第２空間（１２）とが含まれており、
前記第１空間の気温が所定の第１設定温度よりも高く、且つ前記第２空間の気温が所定の第２設定温度よりも高いときには、
前記制御装置は前記第１状態に切り換える制御を行う、請求項５に記載の輸送用冷凍装置。
【請求項７】
複数の前記空間には第１空間と第２空間とが含まれており、
前記第１空間の気温が所定の第１設定温度よりも高く、且つ前記第２空間の気温が所定の第２設定温度よりも低いときには、
前記制御装置は前記第３状態に切り換える制御を行う、請求項５に記載の輸送用冷凍装置。
【請求項８】
複数の前記空間には第１空間と第２空間とが含まれており、
前記第１空間の気温が所定の第１設定温度よりも低く、且つ前記第２空間の気温が所定の第２設定温度よりも低いときには、
前記制御装置は、前記第２状態又は前記第４状態に切り換える制御を行う、請求項５に記載の輸送用冷凍装置。
【請求項９】
前記第１空間の気温と前記第１設定温度との差が所定の第１閾温度差以上である場合、又は、前記第２空間の気温と前記第２設定温度との差が所定の第２閾温度差以上である場合には、前記制御装置は前記第４状態に切り換える制御を行い、
それ以外の場合には、前記制御装置は前記第２状態に切り換える制御を行う、請求項８に記載の輸送用冷凍装置。
【手続補正２】
【補正対象書類名】明細書
【補正対象項目名】０００９
【補正方法】変更
【補正の内容】
【０００９】
本開示に係る輸送用冷凍装置は、複数の空間（１１，１２）に区画された荷室、を有する車両（１０）に搭載される輸送用冷凍装置（１００）であって、それぞれの空間に配置され、冷媒と前記空間内の空気との熱交換を行う複数の室内用熱交換器（１２１，１２２）と、冷媒と外気との熱交換を行う室外用熱交換器（１２０）と、室外用熱交換器と室内用熱交換器との間で冷媒を循環させるよう、冷媒を送り出す複数の圧縮機（１１１，１１２）と、圧縮機から送り出された冷媒が循環する経路を切り換える複数の切り換え弁（１０１，１０２）と、を備える。この輸送用冷凍装置は、それぞれの圧縮機が直列に繋がる経路を冷媒が循環する状態であって、全ての室内用熱交換器が蒸発器として機能する状態である第１状態と、それぞれの圧縮機が直列に繋がる経路を冷媒が循環する状態であって、全ての室内用熱交換器が凝縮器として機能する状態である第２状態と、それぞれの圧縮機が並列に繋がる経路を冷媒が循環する状態であって、複数の室内用熱交換器のうちの一部が蒸発器として機能し、複数の室内用熱交換器のうちの他部が凝縮器として機能する状態である第３状態と、それぞれの圧縮機が並列に繋がる経路を冷媒が循環する状態であって、全ての室内用熱交換器が凝縮器として機能する状態である第４状態と、をとり得るように構成されている。第１状態において、室外用熱交換器を通過した冷媒が室内用熱交換器に向かう流路の途中となる位置には、通過する冷媒の流路を絞る室外用絞り機構（１４０）が設けられている。この輸送用冷凍装置は、室外用絞り機構をバイパスする流路である室外用バイパス流路（１５０）と、室外用バイパス流路の開閉を切り換える室外用開閉弁（１６０）と、を更に備える。第１状態において、室外用熱交換器を通過した冷媒が室内用熱交換器に向かう流路の途中であって、室外用絞り機構よりも下流側となる位置には、通過する冷媒の流路を絞る室内用絞り機構（１４１，１４２）が設けられている。この輸送用冷凍装置は、室内用絞り機構をバイパスする流路である室内用バイパス流路（１５１，１５２）と、室内用バイパス流路の開閉を切り換える室内用開閉弁（１６１，１６２）と、を更に備える。室内用絞り機構、室内用バイパス流路、及び室内用開閉弁は、いずれも、それぞれの室内用熱交換器に対応して個別に設けられている。複数の圧縮機には第１圧縮機（１１１）と第２圧縮機（１１２）とが含まれている。複数の室内用熱交換器には第１室内用熱交換器（１２１）と第２室内用熱交換器（１２２）とが含まれている。第３状態においては、第１圧縮機から送り出された冷媒が、室外用熱交換器、室外用バイパス流路、第１室内用熱交換器に対応して設けられた室内用絞り機構（１４１）、及び第１室内用熱交換器をこの順に通り、第２圧縮機から送り出された冷媒が、第２室内用熱交換器、第２室内用熱交換器に対応して設けられた室内用バイパス流路（１５２）、第１室内用熱交換器に対応して設けられた室内用絞り機構、及び第１室内用熱交換器をこの順に通る。